(57)【要約】【課題】  本願発明の課題は、載置棚に仏具を載置したままの状態で載置棚の移動を可能にするとともに、経机を移動させる手間もなく、仏壇の占有面積を小さく収め、部屋の有効スペースを広げる引出し式御膳棚付き仏壇を提供することにある。【解決手段】  本願発明の引出し式御膳棚付き仏壇は、仏具を載置可能な載置棚と、この載置棚の上方に一又は二以上の棚と、を備える仏壇において、前記載置棚は、仏具を載置したまま前後に移動可能な引出し形式であり、載置棚の直上の棚には、その一部に切り欠き部が設けられ、仏具を載置したままの前記載置棚を後方に移動させて収納すると、前記仏具は前記直上の棚の切り欠き部に収まって直上の棚には接触しないものである。【選択図】図１
2011251171.tif 000002
【特許請求の範囲】
【請求項１】
仏具を載置可能な御膳棚と、この御膳棚の上方に一又は二以上の載置棚と、を備える仏壇において、
前記御膳棚はその直上の載置棚の下に押し込んだ収容状態から載置棚の手前に引き出した引き出し状態まで前後移動可能な引出し式であり、
御膳棚の直上の載置棚はその中央部に載置棚前面に開口する開放部と、開放部の両側方と後方に設けられた外周部を備え、
前記開放部と外周部は、仏具を載置したままの御膳棚を載置棚の下に押し込んでもその仏具が開放部に収まって外周部に接触しないように形成されたことを特徴とする引出し式御膳棚付き仏壇。
【請求項２】
請求項１記載の引出し式御膳棚付き仏壇において、
御膳棚の直上の載置棚の外周部が、仏具を載置できる広さであることを特徴とする引出し式御膳棚付き仏壇。
【請求項３】
請求項１又は請求項２記載の引出し式御膳棚付き仏壇において、
御膳棚の直上の載置棚の外周縁部が、載置棚の手前に引き出された御膳棚の外周部の上方に被さって御膳棚の跳ね上がりを防止できることを特徴とする引出し式御膳棚付き仏壇。
【発明の詳細な説明】
【技術分野】
【０００１】
本願発明は、香炉、花立、火立といった仏具や供物（以下、これらをまとめて「仏具」という。）を載置可能な引出し棚を有する仏壇に関するものである。
【背景技術】
【０００２】
従来、仏壇は仏間に置かれることが多く、この仏壇には仏像・掛軸・位牌といった礼拝仏具が収納されるとともに、香炉、花立、火立といった具足や、高杯、仏器膳、供養膳、リンなど多くの仏具が載置されていた。これらの仏具は、仏壇に設けられる複数段の棚板上に載置され、あるいは経机の上に載置されていた。
【０００３】
一方、昨今の住宅事情に鑑みると、仏間がある住宅は少なくなり、集合住宅では和室そのものがないことも珍しくなく、仏壇の配置スペースは縮小される傾向にある。そのため近年では、経机を持たない仏壇や、棚を引出し形式にした仏壇が好んで利用されている。棚を引出し形式とすると、勤行時には棚を引き出して仏具を載せることができるが、通常は棚を押し込んで仏壇内に収納できるので部屋を広く使うことができる。
【０００４】
ところが仏壇の棚を引出し形式とした場合、勤行時には図５に示すように、引き出した棚（御膳棚Ａ）の上に仏具を載置し、その上段の載置棚Ｂに供養膳やリンなどを載置することができるが、勤行を終えた後は図６に示すように、引出した御膳棚Ａに載せていた仏具を、一旦その上段の載置棚Ｂに載せ換えたうえで引出した御膳棚Ａを載置棚Ｂの下に収納するといった手間が必要であった。
【０００５】
このような手間を解消するため、特許文献１に示すような手段が提案されている。
【先行技術文献】
【特許文献】
【０００６】
【特許文献１】特開２００３−２６５３０５号公報
【発明の概要】
【発明が解決しようとする課題】
【０００７】
特許文献１の仏壇は経机を備えたもので、仏壇本体下方にこの経机を収納するための経机収納部があり、さらに経机を移動させるとこれに連動する棚板が設けられている。この棚板の下面側には垂下する垂直板が移動方向に二枚並べて取り付けられ、この二枚の垂直板の間には経机の背板が配置されており、経机が前後に移動することで背板が垂直板に当接し、これに伴って棚板も前後に連動する。
また、棚板の前面には垂下する連結板が取り付けられ、この連結板の下方先端には棚板と略平行姿勢の補助棚板が取り付けられている。仏具は、経机の上には載置せず、棚板や補助棚板の上に載置するので、収納するために経机を移動させても載置された仏具が転倒することはなく、すなわち経机移動に伴って一旦仏具を移動させるといった手間を省くことができる。
【０００８】
しかしながら、特許文献１の場合、棚よりも重量のある経机を移動させるという労力を要し、また補助棚板の分だけ仏壇の占有面積を広げ、つまり部屋の有効スペースを狭める結果となる。一方、部屋の有効スペースを広げるべく補助棚板を取り外した場合、棚板だけでは十分な載置スペースが確保されず、無理に全ての仏具を棚板に載置したとすると、棚板を仏壇本体に収納する際、その上段の棚に仏具が接触することとなって、結局は一旦仏具を移動させることとなり、目的とする効果は滅失する。
【０００９】
本願発明の課題は、御膳棚に仏具を載置したままの状態で御膳棚を載置棚の下に出し入れ移動を可能にするとともに、経机を移動させる手間もなく、仏壇の占有面積を小さく収め、部屋の有効スペースを広げる引出し式御膳棚付き仏壇を提供することにある。
【課題を解決するための手段】
【００１０】
本願発明の引出し式御膳棚付き仏壇は、仏具を載置可能な御膳棚と、この御膳棚の上方に一又は二以上の載置棚と、を備える仏壇において、前記御膳棚はその直上の載置棚の下に押し込んだ収容状態から載置棚の手前に引き出した引き出し状態まで前後移動可能な引出し式であり、御膳棚の直上の載置棚はその中央部に載置棚前面に開口する開放部と、開放部の両側方と後方に設けられた外周部を備え、前記開放部と外周部は、仏具を載置したままの御膳棚を載置棚の下に押し込んでもその仏具が開放部に収まって外周部に接触しないように形成されたものである。
【００１１】
本願発明の引出し式御膳棚付き仏壇は、請求項１記載の引出し式御膳棚付き仏壇において、御膳棚の直上の載置棚の外周部が、仏具を載置できる広さを有するものである。
【００１２】
本願発明の引出し式御膳棚付き仏壇は、請求項１又は請求項２記載の引出し式御膳棚付き仏壇において、御膳棚の直上の載置棚の外周縁部が、載置棚の手前に引き出された御膳棚の外周部の上方に被さって御膳棚の跳ね上がりを防止できるものである。
【発明の効果】
【００１３】
本願発明の引出し式御膳棚付き仏壇は、次の効果がある。
（１）載置棚が前後に移動可能な引出し形式であるため、勤行時には仏具を設置するための十分なスペースを確保することができるとともに、普段は載置棚を仏壇内に収容して仏壇の占有面積を小さく収め、部屋の有効スペースを広げることができる。
（２）載置棚の直上の棚に切り欠き部が設けられているため、仏具を載置したまま載置棚を後方に移動させても、仏具は直上の棚の切り欠き部に収まって直上の棚には接触せず、載置棚移動のために一旦仏具を移動させるといった手間を省くことができる。
【図面の簡単な説明】
【００１４】
【図１】本願発明の引出し式御膳棚付き仏壇１を示す斜視図。
【図２】引出し棚に仏具を載置した状態を示す斜視図。
【図３】中段棚を上方から平面視した平面図。
【図４】引出し棚上に仏具を載置したまま、仏壇内に引出し棚を収納した状態を示す斜視図。
【図５】従来の仏壇で、引出し棚を引き出して仏具を載置した状態を示す斜視図。
【図６】従来の仏壇で、上段の棚に仏具を載置して引出し棚を収納した状態を示す斜視図。
【発明を実施するための形態】
【００１５】
本願発明の引出し式御膳棚付き仏壇の実施形態の一例を図１〜２に基づいて説明する。図１は、本願発明の引出し式御膳棚付き仏壇１を示す斜視図である。
仏壇１は、天板２と二枚の側板３と背板４から構成される上下に長い略直方体となっている。図では前面が開放されているが、観音扉が付いた厨子形式の仏壇１としてもよい。
【００１６】
仏壇１の内部中段には、下から引出し式の御膳棚５、中段載置棚６、上段載置棚７の３段の棚が、略水平姿勢で設けられている。これらの棚は、３段に限らず４段以上設けてもよいし、あるいは御膳棚５と中段載置棚６の２段としてもよい。
【００１７】
図２は、仏壇１の御膳棚５に仏具を載置した一例を示す斜視図である。上段載置棚７には、仏像や高杯、常花、仏器膳といった仏具などが載置され、最下段である御膳棚５には供養膳のほか、香炉８、花立９、線香差１０といった仏具が載置されることが多い。もちろん、リン、火立、燭台など他の仏具を載置することもある。また、図１に示す中段載置棚６は平面視の面積が小さく、仏具を載置し難くなっているが、図よりも広い面積とし、いくつかの仏具を載せられるようにしてもよい。
【００１８】
御膳棚５の下方は前面に前板１１が取り付けられており、この前板１１の手前側に経机、座布団を置いて勤行することができる。この前板１１を設けず、御膳棚５の下方の内部空間を開放して、経机などの収容空間として利用することもできる。
【００１９】
図１〜２に示すように御膳棚５は板状のもので、前後（紙面に向かって手前〜奥）にスライドすることができる。中段載置棚６の下部あるいは側板３の内側に設けられたスライド溝（図示しない）に御膳棚５の棚板が嵌合し、このスライド溝に沿って御膳棚５は前後に移動する。御膳棚５を最大限引き出しても、スライド溝から棚板が抜け出さないように適宜ストッパを設けることが望ましい。また、簡易なストッパ機構を複数箇所に設け、段階的に御膳棚５をスライドさせるような構造としてもよい。御膳棚５に取っ手１２（図１）を設けると、御膳棚５のスライド操作が容易となりさらに好適である。
なお、御膳棚５のスライド構造は上記のものに限定されず、御膳棚５が前後にスライドして移動できれば他の構造であってもよい。
【００２０】
図３は、中段載置棚６を上方から平面視した平面図である。図示するように中段載置棚６の平面形状は、略長方形から一長辺を含む中央部分が切り欠かれた形状となっている。つまり中段載置棚６は、この切り欠かれた中央部分である開放部１３と、側面と背面側の三辺に幅を持つ外周部１４と、によって形成されている。前記したとおり、この外周部１４には、香炉８、花立９、線香差１０、供養膳、リン、火立、燭台などいくつかの仏具を載せられるようにしてもよい。
中段載置棚６の外周部１４のうち側面側（短辺部）の下方には、前記した御膳棚５用のスライド溝を設けることもできる。
【００２１】
図４は、御膳棚５の上に香炉８、花立９、線香差１０を載置したまま、奥側に御膳棚５をスライドさせて仏壇１内に収納した状態を示す斜視図である。この図からもわかるように、中段載置棚６の開放部１３の効果で、香炉８、花立９、線香差１０を載置したまま御膳棚５を収納しても、これら仏具は中段載置棚６に接触することがなく、仏具が転倒するようなこともない。つまり、中段載置棚６の開放部１３は、御膳棚５に載置した仏具用の収納空間として機能する。
【００２２】
図４では、上段載置棚７の奥行幅が小さいため、比較的高さのある花立９や線香差１０を載置して御膳棚５を収納しても、これらの仏具は上段載置棚７には接触しない。なお、仏具が香炉８やリン、供養膳など高さが低い仏具を御膳棚５に載置して使用する仏壇１の場合、これらの仏具を載置して御膳棚５を収納しても上段載置棚７には接触しないので、上段載置棚７の奥行幅を大きくすることができる。
【００２３】
（本願発明の引出し式御膳棚付き仏壇の使用例）
本願発明の引出し式御膳棚付き仏壇を使用した一例を図に基づいて説明する。
（１）図１に示すように仏具を御膳棚５が仏壇１内に収納された状態から、図４に示すように御膳棚５の上であって中段載置棚６の開放部１３に該当する位置に香炉８、花立９、線香差１０を載置する。
（２）御膳棚５の上に香炉８、花立９、線香差１０を載置した状態で、御膳棚５に設けられた取っ手１２を持ち手にして手前側に御膳棚５をスライドさせる。
（３）御膳棚５下方の前板１１の手間側に、経机や座布団を配置し、勤行を行う。
（４）勤行を終えると、経机や座布団を片付け、御膳棚５の上に香炉８、花立９、線香差１０を載置した状態で、御膳棚５を奥側にスライドさせる。
（５）図４の状態となるまで御膳棚５をスライドさせ、一連の作業を終了する。
【産業上の利用可能性】
【００２４】
本願発明の引出し式御膳棚付き仏壇は、仏間はもちろんのこと狭い和室や洋室でも使用可能であり、十分その効果を発揮することができる。また、戸建住宅に限らず集合住宅などにも利用することができる。
【符号の説明】
【００２５】
１    仏壇
２    天板
３    側板
４    背板
５    御膳棚
６    中段載置棚
７    上段載置棚
８    香炉
９    花立
１０    線香差
１１    前板
１２    取っ手
１３    開放部
１４    外周部
【図１】
2011251171.tif 000003
【図２】
2011251171.tif 000004
【図３】
2011251171.tif 000005
【図４】
2011251171.tif 000006
【図５】
2011251171.tif 000007
【図６】
2011251171.tif 000008